(57)【要約】リフレクタ・ハウジングに電球を固定する、ランプ固定システムであって、それによってランプのキャップは前述のリフレクタ・ハウジングの孔に留められる。前述のキャップは、前述の孔の内壁において面を押圧する第１のバネ手段を具備し、前述の第１のバネ手段は、衝合する第１の電気接点及び前述の面にある電気接点を有する。
2006506777.tif 000002
【特許請求の範囲】
【請求項１】
リフレクタ・ハウジングに電球を固定し、それによって前記ランプのキャップは、前記リフレクタ・ハウジングの孔に留められる、ランプ固定システムであって、
前記キャップは、前記孔の内壁において面を押圧する第１のバネ手段を具備することと、
前記第１のバネ手段は、前記面にある電気接点に衝合する第１の電気接点を有することとを特徴とする、システム。
【請求項２】
前記キャップは、前記孔の前記内壁にある他の電気接点と衝合する他の電気接点を有することを特徴とする、請求項１記載のランプ固定システム。
【請求項３】
前記孔の前記内壁にある他の電気接点は、弾性の着脱可能な部材を有することを特徴とする、請求項２記載のランプ固定システム。
【請求項４】
前記ランプの前記バルブ及び前記ランプの前記キャップの一部分は、前記孔を通って前記リフレクタ・ハウジングの前記後背面から前記反射部まで動かされ得、それによって前記キャップの外側に向かって延びる突出部は前記孔の前記内壁にあるスロットを通過し、また、それによって前記突出部は、前記ランプがその長手軸の周りに回転された後に、前記リフレクタ・ハウジングの前記反射面と衝合することを特徴とする、請求項１乃至３のうちいずれか一項記載のランプ固定システム。
【請求項５】
前記キャップは、３つの前記突出部を有し、少なくとも２つの突出部が異なる寸法を有することを特徴とする、請求項４記載のランプ固定システム。
【請求項６】
前記キャップは、前記リフレクタ・ハウジングの前記後背面を押圧する第２のバネ手段を具備することを特徴とする、請求項１乃至５記載のランプ固定システム。
【請求項７】
前記第２のバネ手段は、前記リフレクタ・ハウジングの前記後背面において電気接点と衝合する電気接点を有することを特徴とする、請求項６記載のランプ固定システム。
【請求項８】
前記ランプの前記キャップは、長手方向に延びる略円筒形のグリップ部材を有することを特徴とする、請求項１乃至７のうちいずれか一項記載のランプ固定システム。
【請求項９】
請求項１乃至８のうちいずれか一項記載の固定システムによって固定されたランプであって、
前記ランプの前記キャップは、電気接点を有する第１のバネ手段を具備することを特徴とする、ランプ。
【請求項１０】
請求項１乃至９のうちいずれか一項記載の固定システムに使用されるリフレクタ・ハウジングであって、
前記ランプの前記キャップが固定され得る孔を有することと、前記孔の前記内壁が少なくとも１つの電気接点を具備することとを特徴とする、リフレクタ・ハウジング。
【請求項１１】
リフレクタ・ハウジングに電球を固定し、それによって前記ランプの前記キャップは前記リフレクタ・ハウジングの孔に留められ、前記キャップは、前記孔の前記内壁において面を押圧する第１のバネ手段を具備する方法であって、
前記バネ手段の第１の電気接点は、前記面にある電気接点に対して置かれることを特徴とする、方法。
【発明の詳細な説明】
【技術分野】
【０００１】
本発明は、特に自動車用に使用する、リフレクタ・ハウジングに電球を固定するランプ固定システムに係り、それによってランプのキャップが、かかるリフレクタ・ハウジングの穴に留められる。リフレクタ・ハウジングは、ランプが固定され得、且つ、多かれ少なかれ光を反射する面を具備するいかなる装置でもあり得る。
【背景技術】
【０００２】
リフレクタ・ハウジング内にランプを固定するシステムは、ランプの適切な位置決めを与えるべきだが、システムの他の特徴は、ランプへの効率的な電力供給の構造である。従って、ランプのキャップは、前述のリフレクタ・ハウジング内で、又は、前述のキャップに結合された別個の結合部材内で、対応する電気接点を衝合させるよう電気接点を具備される。キャップの各電気接点は、それに結合されるべき対応する電気接点と共に、一対の接点を形成する。
【０００３】
リフレクタ・ハウジングにランプを固定するシステムは複数ある。一般的なシステムはバイオネット・システムであり、それによってランプのキャップの円筒形の面は、横方向へ延びる２つのピン（半径方向での突出部）を具備する。リフレクタ・ハウジングの円筒形の孔にあるスロットは、これら２つのピンをはめ込み、ランプは、長手（軸）方向即ちランプのバルブ方向にキャップを押圧するバネ手段によって、その位置で留められる。ランプを取り付ける際、そのキャップは、前述のリフレクタ・ハウジングの反射面で前述の孔に押し込まれる。従って、キャップの円筒面は一つの電気接点を形成し得、ランプの他の電気接点はキャップの終端の半径方向の面に位置付けられる。これらの接点は、リフレクタ・ハウジングの孔で、対応する接点と協働する。
【０００４】
ランプが、リフレクタ・ハウジングに対して正確な所定の位置に位置付けられなければならない場合、例えば自動車のヘッドランプの場合には、他の及びより複雑な固定システムが使用される。従って、リフレクタ・ハウジングでのランプの位置決め手段及びランプへの電力を供給する手段は別個である。ランプへの電力供給は、ランプがリフレクタ・ハウジングに固定される前又は固定された後に、電力供給部材をキャップに結合することで成され得る。かかる固定システムに従ってリフレクタ・ハウジングにランプを固定するのは、やや複雑である。
【０００５】
他の可能性は、リフレクタ・ハウジングの後背面に、ランプのキャップでの電気接点と協働する電気接点を具備させることである。かかる接点は、ランプの長手軸の周りにランプを回転させることによって、相互にはめ込まれうる。しかしながら、かかる電気接点手段はやや複雑である。
【発明の開示】
【発明が解決しようとする課題】
【０００６】
本発明の目的は、効率的且つ効果的な方法でリフレクタ・ハウジングにランプを固定する固定システムを提供することであり、それによってランプは所定の位置に位置決めされ、また、それによって信頼性のある電力供給が保証される。
【課題を解決するための手段】
【０００７】
その目的を達成するために、ランプのキャップは、前述の孔の内壁において面を押圧する第１のバネ手段を具備し、それによって前述のバネ手段は、前述の面に電気接点に衝合する第１の電気接点を有する。従って、１つの手段は、ランプを位置決めすることとランプへ電流を供給することとの２つの機能を具備し、結果的によりシンプルな設計（少ない部品）及び／又はより容易なランプ取付け操作をもたらす。
【０００８】
前述の第１のバネ手段は、キャップから半径方向に外側に向かって延び、且つ、バネの力を内側に向かって押圧することが可能であるバネ部材を有する。従って、半径方向は、キャップ及びランプのバルブの中心を通るランプの軸の軸方向（長手方向）に対して定義付けられる。
【０００９】
半径方向でのランプの正確な位置決めは、リフレクタ・ハウジングの前述の孔の内壁の２つの平らな面に対して、キャップの円筒形の部分を押圧することによって行なわれ得、それによって前述の第１のバネ手段は、押圧する力を具備する。同一の押圧する力は、信頼性の高い電気接点を電流供給に確保する。
【００１０】
望ましい一実施例では、前述のキャップは、前述の孔の内壁にある他の電気接点に衝合する他の電気接点を有する。従って、前述の内壁にある前述の他の接点は、内壁の前述の平らな面のうちの１つの一部分であり得、その面に対してキャップは第１のバネ手段によって押される。望ましくは、前述のリフレクタ・ハウジングの孔の内壁は、対応する対の接点の電気接点を有するキャップの適切な部分を押圧する弾性で着脱可能な部材を有する。
【００１１】
望ましい一実施例では、ランプのバルブ及びランプのキャップの一部分は、前述のリフレクタ・ハウジングの後背面から反射面まで、前述の孔を通って動かされ得る。それによって、前述のキャップの外側に向かって延びる突出部は、前述の孔の内壁にあるスロットを通り、また、前述の突出部は、ランプがその長手軸の周りで回転された後に前述のリフレクタ・ハウジングの反射面に衝合する。
【００１２】
望ましくは、前述のキャップは、３つの前述の突出部を有し、少なくとも２つの突出部は異なる寸法を有する。前述の突出部は、リフレクタ・ハウジングの反射面に接触し、軸方向でランプの位置決めを与え、異なる寸法を有する突出部を活用することによって、ランプはただ１つの位置に固定され得る。
【００１３】
望ましい一実施例では、前述のキャップは、リフレクタ・ハウジングの後背面を押圧する第２のバネ手段を具備する。従って、前述の第２のバネ手段は、軸方向でのランプの位置決めに貢献し得る。これら第２のバネ手段は、リフレクタ・ハウジングの後背面で電気接点と衝合するよう、電気接点を有し得る。それによって、前述の第２のバネ手段は、ランプの軸の位置決めとランプへの電流の信頼性のある供給との、２つの機能を盛り込む。
【００１４】
ランプの種類によって（フィラメントが１つ又は２つ具備されているもの）、ランプに電力を供給するよう要求される電気接点が２対又は３対ある。上述された電気接点の対のうち１つ又は２つは別として、電力を供給する接点の他の対があってよい。
【００１５】
望ましい一実施例では、ランプのキャップは、長手方向に延びる略円筒形のグリップ部材を有する。かかるグリップ部材は、手ではめ込まれることが可能であり、リフレクタ・ハウジングでのランプの取付けを容易にする。
【００１６】
本発明は、また、上述の通り固定システムによって固定されたランプに係り、それによってランプのキャップは、電気接点を有する第１のバネ手段を具備する。
【００１７】
本発明はまた、上述の固定システムに使用されるリフレクタ・ハウジングに係り、それによってリフレクタ・ハウジングは、ランプのキャップが固定され得る孔を有し、また、それによって前述の孔の内壁は、少なくとも１つの電気接点を具備する。
【００１８】
更に、本発明は、リフレクタ・ハウジングに電球を固定する方法に係り、それによってランプのキャップは前述のリフレクタ・ハウジングの孔に留められ、キャップは前述の孔の内壁において面を押圧する第１のバネ手段を具備し、それによって前述のバネ手段の第１の電気接点は、前述の面にある電気接点に対して置かれる。
【発明を実施するための最良の形態】
【００１９】
本発明は、ランプ固定システムの実施例に関する説明を用いて、図面を参照して以下により詳細に説明されるであろう。
【００２０】
図１は、自動車用ランプのバルブ１及びキャップ２を示す。キャップ２は、略円筒形の面３及び半径方向に延びる略平らな面４を有する。円筒面３は、半径方向に延びる３つの突出部５を具備する。図１は３つの突出部５のうち２つのみを図示する。
【００２１】
ランプのキャップ２の面は、導電性の金属で作られ、２つの別個の部分に分けられる。第１の部分６は、円筒面３の一部分及び平らな面４の一部分を覆い、第２の部分９は、キャップ２の関連する面の残りの部分を覆う。部分６及び９のいずれも、互いに対して電気絶縁されている。部分６及び９の夫々は、２つのランプ導線７及び８のうちいずれか一方に溶接されているため、前述の第１の部分６上の接点１０及びキャップの面の第２の部分９上の接点１１は、ランプのバルブ１内のフィラメントに電流を供給する２つの電気接点である。
【００２２】
第１の部分６は、実際は湾曲した細長い金属片である。平らな面４を覆う第１の部分６の部分はランプのキャップ２に取り付けられ、円筒面３を覆う部分は半径方向に自由に可動である。第１の部分６は弾性のある金属で作られているため、外側に向かって延びる接点１０は、内側に押されることが可能であり、それによって第１の部分６は、半径方向に外側へ向けられた力を与えるバネ部材として機能する。
【００２３】
図２は、図１に示す通りバルブ１及びキャップ２を有する、完成した自動車用ランプを示す。円筒形のグリップ部材１３は、キャップ２の略平らで半径方向に延びる面４（図１参照）に対して取り付けられる。グリップ部材１３は、プラスチック材料で作られる。リフレクタ・ハウジングにランプを取り付ける際、ランプは、グリップ材１３を通って手ではめ込まれうる。グリップ材１３の円筒面の部分１４はリブを具備するため、ランプは、ランプの取り付け操作中に手の指で、容易に長手軸の周りで回転され得る。グリップ部材１３の円筒面の他の部分１５は平らであり、また、防水密封用に密封用部材が具備されるべき場合は、密封用部材によってはめ込まれうる。
【００２４】
更に、グリップ部材１３は、ゴム製の環１６を具備する。ゴム製の環１６は、グリップ部材１３のフランジ１７に取り付けられ、バルブ１の方向に延びる。ランプがリフレクタ・ハウジングに取り付けられる際、ゴム製の環１６は、リフレクタ・ハウジングの後背面に衝合する。従ってゴム製の環１６は、前述の後背面に対して防水密封を与え得る。更に、ゴム材のたわみによって、前述の後背面に対して力が及ぶため、突出部５（リフレクタ・ハウジングの反射面に衝合する）は、前述の反射面を押圧する。
【００２５】
図２は、ランプが示される位置のため、ランプの他の電気接点１１（図１参照）を図示しない。図１，図２及び図３中の３つの突出部５のうち１つについて同様である。
【００２６】
図３は、図２に示される同一のランプと、更に、リフレクタ・ハウジング２０の円盤状部分を、リフレクタ・ハウジング２０の孔２１を含んで図示する。図３はリフレクタ・ハウジング２０の反射面を図示し、ランプが取り付けられる際、図３に示す通り、後背面からリフレクタ・ハウジング２０の反射部まで孔２１を通って動かされる。従って、突出部５は、孔２１の内壁２３のスロット２２を通る。突出部５が異なる寸法を有するため、ランプは１つの位置のみで孔２１を通って動かされ得る。
【００２７】
バルブ１及びキャップ２の一部分が孔２１を通った後、ランプは長手軸の周りに回転されるため、突出部５は、突出部５のうちの１つが停止位置２４まで達するときまで、リフレクタ・ハウジング２０の反射面で面上を動く。続いて、ランプはリフレクタ・ハウジング２０に固定される。従って、ランプの接点１０（図２参照）は、孔２１の内壁２３上の接点２５と結合している。キャップ２の金属のカバーの第１の部分６によって与えられる力により、接点１０は接点２５に対して押され、その結果信頼性のある電気接点を与える。キャップ２の円筒面３は、同一の力によって内壁２３の２つの平らな面２６及び２７に対して押され、ゆえにリフレクタ・ハウジング２０に対する、ランプの正確な位置決めを与える。
【００２８】
孔２１の内壁２３は、湾曲した細長い金属片から成る他の電気接点２８を具備する。ランプが孔２１を通って動かされ、その長手軸の周りに回転されたあと、接点１１（図１参照）は接点２８に支えられる。細長い金属片２８は、接点１１の圧力のもとに曲げられ、２つの接点１１と２８との間に信頼性のある電気接点を与える。
【００２９】
当然のことながら、リフレクタ・ハウジング２０は、電気接点２５及び２８を、ランプへの電流を供給するソースに結合する導電手段を有する。
【００３０】
また、電気接点部材（図示せず）がゴム製の環１６上に提示され得、それによって協働接点がリフレクタ・ハウジングの後背面に提示される。従って、信頼性のある電気接点は、前述の後背面に対する弾性のゴム製の環１６の力によって達成され得る。
【００３１】
上述されたシステムの実施例は一例であり、数多くの他の実施例が可能である。
【図面の簡単な説明】
【００３２】
【図１】自動車用ランプの一部分の斜視図である。
【図２】完成したランプの他の斜視図である。
【図３】ランプ、及び、リフレクタ・ハウジングの一部分の斜視図である。
【図１】
2006506777.tif 000003
【図２】
2006506777.tif 000004
【図３】
2006506777.tif 000005
【国際調査報告】
2006506777.tif 000006
2006506777.tif 000007
2006506777.tif 000008